(57)【特許請求の範囲】
【請求項１】
回動することにより器具に収納可能な操作面を有する開閉式の操作パネルと、起動している時に押されると起動を停止し、起動していない時に押されると起動する前記操作面に設けられた第１のスイッチと、起動しているときに押されることにより加熱を開始する前記操作面に設けられた切／入キーとを備え、起動しているときに押されると起動を停止するが、起動していない時に押されても起動しない第２のスイッチを前記器具の表側で前記操作面とは別の位置に設け使用中に前記操作面を収納した場合に前記操作パネルを開くことなく前記第２のスイッチを押すことにより起動を停止し加熱を止めることができるようにした調理器。
【請求項２】
第２のスイッチは操作パネルに設けられた請求項１に記載の調理器。
【請求項３】
操作パネルは、必要なストロークを押し動かして開くとともに、第２のスイッチを前記操作パネルの回転軸の近傍に設けた請求項２に記載の調理器。
【発明の詳細な説明】
【０００１】
【発明の属する技術分野】
本発明は、収納可能な操作面を有する開閉式の操作パネルを備え、乾電池を電源とする調理器に関するものである。
【０００２】
【従来の技術】
従来のこの種のガス調理器を図１４、図１５に示す。図１４は従来のガス調理器の正面図、図１５は他のガス調理器の側面図である。
【０００３】
図１４に示すごとく、従来のガス調理器は操作面１と、魚焼き用グリル２と、コンロ部３からなる。操作面１は器具前面に設けられ、操作面１には主電源キー４と、各グリル、コンロの切／入キー５と火力調節キー６を設けている。使用者はコンロ部３を使用する場合、まず主電源キー４を押し器具を起動させ、その後使いたいコンロ部３に対応する切／入キー５を押すことにより、マイコン（図示せず）が対応したコンロを点火させるものである。
【０００４】
又、図１５に示す従来の他のガス調理器においては、操作面１は、回動して収納可能な開閉式の操作パネル７に設けられている。
【０００５】
【発明が解決しようとする課題】
しかしながら、上記従来のガス調理器では、操作面１は器具表側に設けられているので、操作面１の角度が地面に対し略垂直であり、使用者が立って操作する時はかがんだり、少し離れてキーを押さなければならないので、使い勝手が悪いという課題があった。また、キー類は常に器具表側に露出して、かつキー類は数多く配設されているので、デザイン的に煩雑であるという課題もあった。また、従来の他のガス調理器では、操作面は回動して収納可能な開閉式であるので、操作面を開いた時のその角度は少し傾いた角度で使いやすく、操作面を閉じた時は、操作パネル上には煩雑なキーが無い為、デザイン的にすっきりしている反面、長時間の使用等で操作面を一旦閉じて使用した時、器具を停止させる際は再度操作面を開けてからでしか器具を停止できないという課題があった。また、操作面を閉じて使用している際に、何らかの故障により操作部が開かなくなった時に、容易に器具を停止させることができず不安全であるという課題があった。
【０００６】
【課題を解決するための手段】
本発明は、上記課題を解決するために、回動することにより器具に収納可能な操作面を有する開閉式の操作パネルと、起動している時に押されることにより起動を停止し、起動していない時に押されると起動する前記操作面に設けられた第１のスイッチと、起動しているときに押されると加熱を開始する前記操作面に設けられた切／入キーとを備え、起動しているときに押されると起動を停止するが、起動していない時に押されても起動しない第２のスイッチを器具の表側で操作面とは別の位置に設け使用中に操作面を収納した場合に操作パネルを開くことなく第２のスイッチを押すことにより起動を停止し加熱を止めることができる構成とするものである。
【０００７】
上記発明によれば、操作パネルは回動して操作面が器具に収納可能な開閉式としたので、操作パネルを開いた時の操作面の角度は少し傾いた角度で使いやすく、操作パネルを閉じた時は、デザイン的にすっきりしている。また前記器具表側で操作面とは別の位置に、起動しているときに押されると起動を停止するが、起動していない時に押されても起動しない第２のスイッチを設け、使用中に操作面を収納した場合でも、使用者は操作面を再度開くことなく起動を停止して加熱を止めることができる。かつ、使用者が使用中に操作面を収納した後、何らかの故障により操作部が開かなくなったとしても、第２のスイッチにより起動を停止して加熱を止めることができる。また、第２のスイッチを起動しているときに押されると起動を停止するが、起動していない時に押されても起動しない構成とすることにより、使用者が器具表面を掃除中、誤って起動することを無くすことができる。
【０００８】
【発明の実施の形態】
本発明は、回動することにより器具に収納可能な操作面を有する開閉式の操作パネルと、起動している時に押されると起動を停止し、起動していない時に押されると起動する前記操作面に設けられた第１のスイッチと、起動しているときに押されることにより加熱を開始する前記操作面に設けられた切／入キーとを備え、起動しているときに押されると起動を停止するが、起動していない時に押されても起動しない第２のスイッチを前記器具の表側で前記操作面とは別の位置に設け使用中に操作面を収納した場合に操作パネルを開くことなく第２のスイッチを押すことにより起動を停止し加熱を止めることができるようにした構成とするものである。
【０００９】
そして、操作面は回動して器具に収納可能な開閉式とすることにより、操作パネルを開いた時は操作面の角度は少し傾いた角度で使いやすく、操作パネルを閉じた時は、デザイン的にすっきりしている。また前記器具表側で操作面とは別の位置に、起動しているときに押されると起動を停止するが、起動していない時に押されても起動しない第２のスイッチを設け、使用中に操作面を収納した場合でも、使用者は操作面を再度開くことなく起動を停止して加熱を止めることができる。かつ、使用者が使用中に操作面を収納した後、何らかの故障により操作部が開かなくなったとしても、第２のスイッチにより起動を停止して加熱を止めることができる。また、第２のスイッチは起動しているときに押されると起動を停止するが、起動していない時に押されても起動しない構成とすることにより、使用者が器具表面を掃除中、誤って起動してしまうのを無くすことができる。
【００１０】
また、第２のスイッチは操作パネルに設ける構成とするものである。そして、第２のスイッチを操作パネルの器具表面に設けることにより、操作面用の電装基板と第２のスイッチ共、操作パネルの内部に集約して取付けることができ、組立、検査が容易になる。
【００１１】
また、第２のスイッチをタッチ式のキーとすれば、第２のスイッチ近傍の器具の凹凸を無くすことができ、器具表面の掃除を容易にすることができる。
【００１４】
また、操作パネルは、必要なストロークを押し動かして開くとともに、第２のスイッチを、操作パネルの回転軸の近傍に設けた構成とするものである。そして、第２のスイッチを前記回転軸近傍に設けることにより、使用者は、操作面を収納した状態で使用中に起動を停止するために第２のスイッチを押しても、第２のスイッチは前記回転軸近傍に設けているので、操作パネルを開く為のストロークを動かすのに必要な押し力が大きい為、第２のスイッチを押しこんでも誤って操作パネルが開くことを防ぐことができる。
【００１７】
【実施例】
以下、本発明の実施例及び参考例について図面を参照して説明する。
【００１８】
（参考例１）
本発明のガス調理器を図１、図２、図３、図４に示す。図１は本発明の参考例１の操作パネル閉時の正面図を示す。図１に示すごとく、本発明のガス調理器は開閉式の操作パネル７と、コンロ部３と、魚焼き用のグリル２と、操作パネル７上部の器具筐体に設けた器具電源用の第２のスイッチ８からなる。操作パネル７の表面には、操作パネル７を開ける時に押す位置の印刷表示９と、電池を交換するときに開ける蓋１０を設けている。図２は本発明の参考例１の操作パネル開時の側面断面図を示す。操作パネル７には回動して器具に収納可能な操作面１を設け、操作面１の操作パネル７表面には操作面シート１ａを貼付け、操作パネル７内部には、複数のスイッチ１１等を設けた電装基板１２を設けている。電装基板１２からは信号線１３ａを介し、第２のスイッチ８からは信号線１３ｂを介して制御基板（図示せず）へスイッチの信号が伝えられる。
【００１９】
一方、器具筐体下部には、電池１４を収納する電池ケース１５を設けている。図３は本発明の参考例１の操作面の正面図を示す。操作面１には、タッチ式の器具電源用の第１のスイッチ４と、各グリル、コンロに対応する複数の切／入キー５と複数の火力調節キー６と、電源状態及び使用中の火力状態を表示する複数個のＬＥＤ１６を設けている。図４は本発明の参考例１の作動原理図である。信号線１０ａにより制御基板１７に信号が伝わると、制御基板１７のマイコンが器具の元電磁弁１８を開き、かつステッピングモーター１９を有する火力調節手段２０を作動させ、閉子２１を動かし、ガスを対応するコンロ２へ送り込む。同時に制御基板１７は点火器２２を作動させ、高圧放電により対応するコンロ２を点火させる構成としている。使用者がコンロ２を使用する場合、まず第２のスイッチ８を入れ、マイコンを待機状態にする。
【００２０】
次に第１のスイッチ４を押すと、電源用ＬＥＤ１６ａが点灯し器具が起動する。その後使いたいコンロに対応する切／入キー５を押すことにより、マイコン（図示せず）が対応したコンロ２を点火させると同時に、火力用ＬＥＤ１６ｂを点灯させ現在の火力を使用者へ伝える構成とするものである。なお、第１のスイッチ４はあらかじめ定められた時間までいずれかのキーが押されなければ、省電力の為自動的にＬＥＤ１６ａを消灯させ、マイコンを待機状態にする。第１のスイッチ４が器具起動時に押されるか、第２のスイッチ８が切られるとマイコンは元電磁弁１８を閉じ、閉子２１をガスを止める位置に戻した後、自動的に待機状態から無通電状態となる。
【００２１】
次に、作用を説明する。上記構成により、収納可能な操作面１を有する開閉式の操作パネル７と、操作面１に設けられた第１のスイッチ４と、器具筐体に電源用の第２のスイッチ８を備えたことにより、操作面１は回動して収納可能な開閉式であるので、操作面１を開いた時は操作面１の角度は地面と略平行より少し傾いた角度で使いやすく、操作面１を閉じた時は、表側にスイッチがひとつしかない為デザイン的にすっきりしている。また器具表側に電源用の第２のスイッチ８を設けているので、使用中に操作面１を収納した場合でも、使用者は操作面１を再度開くことなく電源を切って加熱を止めることができる。かつ、使用者が使用中に操作面１を収納した後、何らかの故障により操作パネル７が開かなくなったとしても、第２のスイッチ８により電源を切って加熱を止めることができる。
【００２２】
（参考例２）
図５は本発明の参考例２の操作パネル開時の側面断面図を示す。参考例１と異なる点は、電源用の第２のスイッチ８を器具筐体ではなく、操作パネル７の器具表側の下側に設け、信号線１３ｂを電装基板１２に接続した構成とした点である。  なお、参考例１と同一符号のものは、同一構造を有し、説明は省略する。上記構成により、操作面１用の電装基板１２と、第２のスイッチ８共、操作パネル７の内部に取付けられる。
【００２３】
作用を説明すると、操作面１用の電装基板１２と、電源用の第２のスイッチ８共、操作パネル７の内部に取付ける為、操作パネル７に部品を集約することができ、組立、検査を容易にすることができる。
【００２４】
（参考例３）
図６は本発明の参考例３の操作パネル開時の側面断面図、図７は本発明の参考例３の操作パネル閉時の正面図を示す。参考例２と異なる点は、操作パネル７の電源用の第２のスイッチ８をタッチ式スイッチ部２３とした点である。タッチ式スイッチ部２３は、操作パネル７表側に貼り付けた表シート２４と、表シート２４に設けた「運転切／入」という電源印刷表示２５と、電源印刷表示２５の操作パネル７内部に設けたスイッチ基板２６からなる。なお、参考例２と同一符号のものは、同一構造を有し、説明は省略する。
【００２５】
上記構成により、表シート２４の電源印刷表示２５を押されている間のみ、基板２６のスイッチが押されるタッチ式のスイッチ構成となる。参考例１、２では器具は電源用の第２のスイッチ８が入りのマイコン待機状態で、第１のスイッチ４が押されなければ器具が起動しなかったが、本参考例では常にマイコンは待機状態であり、第１のスイッチ４またはタッチ式スイッチ部２３のどちらかが押されれば、器具が起動する点も参考例１，２とは異なる点である。また、第１のスイッチ４と同様、タッチ式スイッチ部２３が押されて器具が起動しても、あらかじめ定められた時間までいずれかのキーが押されなければ、省電力の為自動的にＬＥＤ１６ａを消灯させる構成としている。
【００２６】
作用を説明すると、操作パネル７の器具表側に表シート２４を貼付け、表シート２４に電源印刷表示２５を設け、電源印刷表示２５の操作パネル７内部に、スイッチを設けたスイッチ基板２６を取付けたタッチ式スイッチ部２３構成とすることにより、器具表側の凹凸を無くすことができ、器具表側の掃除を容易にすることができる。
【００２７】
（実施例１）
図８は本発明の実施例１の操作パネル閉時の正面図を示す。参考例３と異なる点は、電源印刷表示２５を「運転切」とし、器具表側スイッチのタッチ式スイッチ部２３は、器具起動時は電源を切り待機状態にできるが、待機状態に押されても器具を起動できないようマイコンソフト上で構成した点である。なお、参考例３と同一符号のものは、同一構造を有し、説明は省略する。作用を説明すると、器具表側のタッチ式スイッチ部２３は電源を切るのみとすることにより、使用者は掃除等で誤って電源を入れることなく、不要な電池消耗を無くすことができる。
【００２８】
（実施例２）
図９は本発明の実施例２の操作パネル閉時の正面図を示す。参考例３と異なる点は、タッチ式スイッチ部２３を操作パネル７の表上側に設け、操作パネル７を開ける時に押す位置の印刷表示９を併記した構成とした点である。なお、参考例３と同一符号のものは、同一構造を有し、説明は省略する。上記構成により、使用者が操作パネルを開く時に押す位置表示９を押すと、同時にタッチ式スイッチ部２３も押される。
【００２９】
作用を説明すると、器具表側のタッチ式スイッチ部２３を操作パネル７の表上側に設け、操作パネル７を開ける時に押す位置の印刷表示９を併記することにより、使用者が器具を使用する際、収納された操作面１を開く為に操作パネル７の押す印刷表示９を押すだけで、同時にタッチ式スイッチ部２３が押され電源がはいるので、操作面上の第１のスイッチ４を押す手間を省くことができる。
【００３０】
（実施例３）
図１０は本発明の実施例３の操作パネル開時の側面断面図、図１１は本発明の実施例３の操作パネル閉時の正面図を示す。参考例３と異なる点は、タッチ式スイッチ部２３を操作パネル７の回転軸２７の上側近傍に設け、表シート２４とは別に電源印刷表示２５を設けたスイッチシート２９を貼付け、蓋１０に角穴２８を設け、角穴２８を通してスイッチシート２９に設けた電源印刷表示２５が確認できる構成とした点である。また、タッチ式スイッチ部２３は乾電池１４を避け、蓋１０の左端、もしくは右端に設けた点も参考例３と異なる点である。なお、参考例３と同一符号のものは、同一構造を有し、説明は省略する。上記構成により、使用者は蓋１０の角穴２８を通して、タッチ式スイッチ部２３を押す。
【００３１】
作用を説明すると、器具表側のタッチ式スイッチ部２３を開閉式操作パネル７の回転軸２７上側近傍に設けることにより、使用者は、操作面１を収納した状態で使用中に消火するためにスイッチ部２３のスイッチシート２９を押しても、スイッチ部２３が回転軸２７上側近傍に位置するため、操作パネル７を開く為のストロークを動かすのに必要な押し力が大きい為、シート２９を押しこんでも操作パネル７が開くことを防ぐことができる。
【００３２】
（参考例４）
図１２は本発明の参考例４の操作パネル閉時の正面図を示す。参考例２と異なる点は、器具表側のタッチ式スイッチ部２３近傍に電源の表示手段としてＬＥＤ３０を設けた構成とした点である。なお、参考例２と同一符号のものは、同一構造を有し、説明は省略する。上記構成により、器具が起動している間はＬＥＤ３０が点灯する。
【００３３】
作用を説明すると、器具表側のタッチ式スイッチ部２３近傍に電源状態を示す表示手段としてＬＥＤ３０を備えることにより、操作面１を収納した時でも、使用者は電源がはいったままかどうかを確認できる。
【００３４】
（参考例５）
図１３は本発明の参考例５の操作パネル閉時の正面図を示す。参考例２と異なる点は、器具表側の器具表側スイッチ４近傍に電池の交換を促す残量表示手段３１を備えた構成とした点である。なお、参考例２と同一符号のものは、同一構造を有し、説明は省略する。残量表示手段３１はＬＥＤと文字表示で構成し、電池の電圧が下がったと制御基板が判定すると、タッチ式スイッチ部２３又は第１のスイッチ４が押された起動時に、残量表示手段３１のＬＥＤを点滅、又は点灯させる。
【００３５】
作用を説明すると、器具表側のタッチ式スイッチ部２３近傍に電池の交換を促す残量表示手段３１を設けた構成とすることにより、使用者は器具表側のタッチ式スイッチ部２３を押すことにより電池の残量を確認できるので、操作面１を開けることなく電池１４の残量を確認しそのまま蓋１０を開けて電池１４を交換できる。
【００３６】
【発明の効果】
以上の説明から明らかのように本発明の調理器によれば、次の効果が得られる。
【００３７】
操作パネルを開いた時は操作面の角度は少し傾いた角度で使いやすく、操作パネルを閉じた時は、デザイン的にすっきりしている。また前記器具表側で操作面とは別の位置に、起動しているときに押されると起動を停止するが、起動していない時に押されても起動しない第２のスイッチを設け、使用中に操作面を収納した場合でも、使用者は操作面を再度開くことなく起動を停止して加熱を止めることができる。かつ、使用者が使用中に操作面を収納した後、何らかの故障により操作部が開かなくなったとしても、第２のスイッチにより起動を停止して加熱を止めることができるという効果が得られる。また、第２のスイッチは起動しているときに押されると起動を停止するが、起動していない時に押されても起動しない構成とすることにより、使用者が器具表面を掃除中、誤って起動してしまうことがない。
【００３８】
また、第２のスイッチは操作パネルに設ける構成とすることにより、操作面用の電装基板と第２のスイッチ共、操作パネルの内部に集約して取付けることができ、組立、検査が容易になるという効果が得られる。
【００３９】
また、第２のスイッチをタッチ式のキーとすれば、第２のスイッチ近傍の器具の凹凸を無くすことができ、器具表面の掃除が容易になるという効果が得られる。
【００４２】
また、操作パネルは、必要なストロークを押し動かして開くとともに、第２のスイッチを、操作パネルの回転軸の近傍に設けた構成とすることにより、使用者は、操作面を収納した状態で使用中に加熱を停止するために第２のスイッチを押しても、第２のスイッチは回転軸近傍に設けているので、操作パネルを開く為のストロークを動かすのに必要な押し力が大きい為、第２のスイッチを押しこんでも誤って操作パネルが開くことを防ぐ効果が得られる。
【図面の簡単な説明】
【図１】  本発明の参考例１の調理器における操作パネル閉時の正面図
【図２】  同操作パネル開時の側面断面図
【図３】  同操作パネルの操作面の正面図
【図４】  同調理器の作動原理図
【図５】  本発明の参考例２の操作パネル開時の側面断面図
【図６】  本発明の参考例３の操作パネル開時の側面断面図
【図７】  同操作パネル閉時の正面図
【図８】  本発明の実施例１の操作パネル閉時の正面図
【図９】  本発明の実施例２の操作パネル閉時の正面図
【図１０】  本発明の実施例３の操作パネル開時の側面断面図
【図１１】  同操作パネル閉時の正面図
【図１２】  本発明の参考例４の操作パネル閉時の正面図
【図１３】  本発明の参考例５の操作パネル閉時の正面図
【図１４】  従来のガス調理器の正面図
【図１５】  従来の他のガス調理器の側面図
【符号の説明】
１  操作面
４  第１のスイッチ
７  操作パネル
８  第２のスイッチ
９  印刷表示体
１１  スイッチ
２３  タッチ式スイッチ部
２７  回転軸
１６、３０  ＬＥＤ
３１  残量表示手段
【図１】
0004023207.tif 000002
【図２】
0004023207.tif 000003
【図３】
0004023207.tif 000004
【図４】
0004023207.tif 000005
【図５】
0004023207.tif 000006
【図６】
0004023207.tif 000007
【図７】
0004023207.tif 000008
【図８】
0004023207.tif 000009
【図９】
0004023207.tif 000010
【図１０】
0004023207.tif 000011
【図１１】
0004023207.tif 000012
【図１２】
0004023207.tif 000013
【図１３】
0004023207.tif 000014
【図１４】
0004023207.tif 000015
【図１５】
0004023207.tif 000016